(57)【要約】【課題】ルーフライニングを確実且つ円滑に仮保持することができるルーフライニングの仮保持構造を提供する。【解決手段】本構造は、ルーフライニングは、本体１０及び本体の端末部１０ａに設けられた仮保持片１１を備え、ルーフパネルの車室内側に車両幅方向Ｑの内側に突出して仮保持台２５が設けられ、ルーフライニングをルーフパネルの車室内側に取り付けるときに、仮保持片を仮保持台の下方から押し上げて仮保持台の受け面上に載置してルーフライニングを仮保持するルーフライニングの仮保持構造１である。そして、仮保持片は、車両前後方向Ｐの縁側が本体の端末部から下方に離れるように延びて仮保持台の受け面上に載置される仮保持壁１５と、仮保持壁の車両幅方向の内縁側から立ち上がり上縁側が本体の端末部に接続される第１立壁１６と、仮保持壁の車両前後方向の縁側から立ち上がり車両幅方向の内縁側が第１立壁の車両前後方向の縁側に接続される第２立壁１７と、を備えている。【選択図】図２
2014151840.tif 000002
【特許請求の範囲】
【請求項１】
ルーフライニングは、本体及び該本体の端末部に設けられた仮保持片を備え、ルーフパネルの車室内側に車両幅方向の内側に突出して仮保持台が設けられ、前記ルーフライニングを前記ルーフパネルの車室内側に取り付けるときに、前記仮保持片を前記仮保持台の下方から押し上げて該仮保持台の受け面上に載置して前記ルーフライニングを仮保持するルーフライニングの仮保持構造において、
前記仮保持片は、車両前後方向の縁側が前記本体の端末部から下方に離れるように延びて前記仮保持台の受け面上に載置される仮保持壁と、該仮保持壁の車両幅方向の内縁側から立ち上がり上縁側が前記本体の端末部に接続される第１立壁と、該仮保持壁の車両前後方向の縁側から立ち上がり車両幅方向の内縁側が該第１立壁の車両前後方向の縁側に接続される第２立壁と、を備えていることを特徴とするルーフライニングの仮保持構造。
【請求項２】
前記仮保持壁は、前記本体の端末部から前記本体の車両前後方向の外側に向かって斜め下方に延びており、前記仮保持台の受け面は、車両前後方向に対して傾斜している請求項１記載のルーフライニングの仮保持構造。
【発明の詳細な説明】
【技術分野】
【０００１】
本発明は、ルーフライニングの仮保持構造に関し、さらに詳しくは、ルーフライニングの本体に対して仮保持片を上方へ変形し難く且つ下方へ変形し易くしてルーフライニングを確実且つ円滑に仮保持することができるルーフライニングの仮保持構造に関する。
【背景技術】
【０００２】
従来のルーフライニングの仮保持構造として、例えば、図１１に示すように、ルーフライニング１０３の車両後方の端末部に仮保持片１１１が設けられ、ルーフパネルの車室内側に車両幅方向の内側に突出して仮保持台１２５が設けられている構造１０１が一般に知られている（例えば、特許文献１参照）。そして、ルーフライニング１０３をルーフパネルの車室内側に取り付けるときに、仮保持片１１１を仮保持台１２５の下方から押し上げて仮保持台１２５の受け面上に載置することでルーフライニング１０３が仮保持される。
【０００３】
上記ルーフライニング１０３は、通常、プレス成形等により成形されており、上記仮保持片１１１は、ルーフライニング１０３の一般面の厚さと略同じ厚さで形成されている。また、上記仮保持台１２５の受け面は、車室内方に略水平に延びており（特許文献１の段落〔００１４〕参照）、上記仮保持片１１１は、仮保持台１２５上に載置されるように略水平に延びている。
【先行技術文献】
【特許文献】
【０００４】
【特許文献１】特開２０１０−３６７００号公報
【発明の概要】
【発明が解決しようとする課題】
【０００５】
しかし、上記特許文献１の技術では、仮保持片１１１は、ルーフライニング１０３の一般面の厚さと略同じ厚さで且つ略水平に延びているので、仮保持片１１１を仮保持台１２５上に載置したときに、ルーフライニング１０３の自重により仮保持片１１１が上方に折れてルーフライニング１０３が脱落してしまう可能性がある。一方、仮保持片１１１を仮保持台１２５の下方から押し上げるときに、仮保持片１１１は仮保持台１２５との当接により下方へ弾性変形される。よって、ルーフライニング１０３を円滑に仮保持するために仮保持片１１１が下方へ変形し易いことが求められる。
【０００６】
本発明は、上記現状に鑑みてなされたものであり、ルーフライニングの本体に対して仮保持片を上方へ変形し難く且つ下方へ変形し易くしてルーフライニングを確実且つ円滑に仮保持することができるルーフライニングの仮保持構造を提供することを目的とする。
【課題を解決するための手段】
【０００７】
上記問題を解決するために、請求項１に記載の発明は、ルーフライニングは、本体及び該本体の端末部に設けられた仮保持片を備え、ルーフパネルの車室内側に車両幅方向の内側に突出して仮保持台が設けられ、前記ルーフライニングを前記ルーフパネルの車室内側に取り付けるときに、前記仮保持片を前記仮保持台の下方から押し上げて該仮保持台の受け面上に載置して前記ルーフライニングを仮保持するルーフライニングの仮保持構造において、前記仮保持片は、車両前後方向の縁側が前記本体の端末部から下方に離れるように延びて前記仮保持台の受け面上に載置される仮保持壁と、該仮保持壁の車両幅方向の内縁側から立ち上がり上縁側が前記本体の端末部に接続される第１立壁と、該仮保持壁の車両前後方向の縁側から立ち上がり車両幅方向の内縁側が該第１立壁の車両前後方向の縁側に接続される第２立壁と、を備えていることを要旨とする。
請求項２に記載の発明は、請求項１記載において、前記仮保持壁は、前記本体の端末部から前記本体の車両前後方向の外側に向かって斜め下方に延びており、前記仮保持台の受け面は、車両前後方向に対して傾斜していることを要旨とする。
【発明の効果】
【０００８】
本発明のルーフライニングの仮保持構造によると、ルーフライニングをルーフパネルの車室内側に取り付けるときに、仮保持片を仮保持台の下方から押し上げて仮保持台の受け面上に載置することでルーフライニングが仮保持される。そして、上記仮保持片は、車両前後方向の縁側が前記本体の端末部から下方に離れるように延びて仮保持台の受け面上に載置される仮保持壁と、仮保持壁の車両幅方向の内縁側から立ち上がり上縁側が本体の端末部に接続される第１立壁と、仮保持壁の車両前後方向の縁側から立ち上がり車両幅方向の内縁側が第１立壁の車両前後方向の縁側に接続される第２立壁と、を備えている。このように、仮保持片を、仮保持壁、第１立壁及び第２立壁を備えて特定の立体形状に形成したので、ルーフライニングの本体に対して仮保持片を上方へ変形し難く且つ下方へ変形し易く構成できる。よって、仮保持片を仮保持台の受け面上に載置したときに、ルーフライニングの自重により仮保持片が下方に折れてルーフライニングが脱落してしまうことが防止される。また、仮保持片を仮保持台の下方から押し上げるときに、仮保持片は仮保持台との当接により下方へ容易に弾性変形される。その結果、ルーフライニングを確実且つ円滑に仮保持することができる。
さらに、前記仮保持壁が、前記本体の端末部から前記本体の車両前後方向の外側に向かって斜め下方に延びており、前記仮保持台の受け面が、車両前後方向に対して傾斜している場合は、仮保持台の受け面上に載置された仮保持壁は車両前後方向に対して傾斜しており、仮保持片が仮保持台から車両前後方向に抜け難くなる。よって、ルーフライニングを更に確実に仮保持することができる。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るルーフライニングの仮保持構造の縦端面図である。
【図２】上記ルーフライニングの仮保持構造の斜視図である。
【図３】実施例に係るルーフライニングの平面図である。
【図４】上記ルーフライニングの要部斜視図である。
【図５】図３のＶ矢視部の拡大図である。
【図６】図４のＶＩ矢視部の拡大図である。
【図７】図２のＶＩＩ−ＶＩＩ線端面図である。
【図８】実施例に係るスペーサの平面図である。
【図９】上記ルーフライニングの仮保持構造の作用説明図である。
【図１０】その他の形態のルーフライニングの仮保持構造を説明するための説明図である。
【図１１】従来のルーフライニングの仮保持構造を説明するための説明図である。
【発明を実施するための形態】
【００１０】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
１．ルーフライニングの仮保持構造
本実施形態１．に係るルーフライニングの仮保持構造は、ルーフライニングは、本体（１０）及び本体の端末部（１０ａ）に設けられた仮保持片（１１）を備え、ルーフパネルの車室内側に車両幅方向（Ｑ）の内側に突出して仮保持台（２５）が設けられ、ルーフライニングをルーフパネルの車室内側に取り付けるときに、仮保持片を仮保持台の下方から押し上げて仮保持台の受け面上に載置してルーフライニングを仮保持するルーフライニングの仮保持構造（１）である（例えば、図１、図２及び図９等参照）。そして、上記仮保持片（１１）は、車両前後方向（Ｐ）の縁側が本体の端末部（１０ａ）から下方に離れるように延びて仮保持台（２５）の受け面（２５ａ）上に載置される仮保持壁（１５）と、仮保持壁の車両幅方向（Ｑ）の内縁側から立ち上がり上縁側が本体の端末部に接続される第１立壁（１６）と、仮保持壁の車両前後方向の縁側から立ち上がり車両幅方向の内縁側が第１立壁の車両前後方向の縁側に接続される第２立壁（１７）と、を備えている（例えば、図５及び図６等参照）。
【００１２】
本実施形態１．に係るルーフライニングの仮保持構造としては、例えば、上記仮保持壁（１５）は、本体の端末部（１０ａ）から本体（１０）の車両前後方向（Ｐ）の外側に向かって斜め下方に延びており、仮保持台（２５）の受け面（２５ａ）は、車両前後方向（Ｐ）に対して傾斜している形態を挙げることができる（例えば、図２及び図７等参照）。なお、上記仮保持台（２５）の受け面（２５ａ）の車両前後方向（Ｐ）に対する傾斜角（α）としては、例えば、１０〜３０度（好ましくは１５〜２５度）を挙げることができる（例えば、図７参照）。
【００１３】
本実施形態１．に係るルーフライニングの仮保持構造としては、例えば、上記第２立壁（１７）の車両幅方向（Ｑ）の内縁側の上端は、本体の端末部（１０ａ）の近傍に位置しているか又は本体の末端部に接続されている形態を挙げることができる（例えば、図５及び図６等参照）。これにより、仮保持片を上方へ更に変形し難く且つ下方へ変形し更に易く構成できる。
【００１４】
本実施形態１．に係るルーフライニングの仮保持構造としては、例えば、上記仮保持台（２５）の下側には、車両幅方向（Ｑ）の外側に向かって斜め下方に延び且つ下方から仮保持壁（１５）が当接するガイド部（２７）が設けられている形態を挙げることができる（例えば、図９等参照）。これにより、仮保持片を仮保持台の下方から押し上げるときに、仮保持壁がガイド部に当接して案内されることで仮保持片が更に容易に下方へ弾性変形される。
【００１５】
なお、上記実施形態で記載した各構成の括弧内の符号は、後述する実施例に記載の具体的構成との対応関係を示すものである。
【実施例】
【００１６】
以下、図面を用いて実施例により本発明を具体的に説明する。
【００１７】
（１）ルーフライニングの仮保持構造の構成
本実施例に係るルーフライニングの仮保持構造１は、図１及び図２に示すように、金属製のルーフパネル２の車室内側に配されるルーフライニング３を備えている。このルーフライニング３は、ルーフパネル２に対してクリップ等の固定手段（図示省略）で固定される。また、ルーフライニング３とルーフパネル２との間には樹脂製のスペーサ４が配されている。
【００１８】
上記ルーフパネル２は、図１に示すように、互いに接合されるインナパネル２ａ及びアウタパネル２ｂを備えている。また、ルーフパネル２には、ルーフライニング３の端末部を覆う樹脂製のピラーガーニッシュ６が取り付けられている。また、上記ルーフライニング３は、繊維層３ａの表面にニット製等の表皮３ｂを積層してなる。なお、図１中の符号７はウェザーストリップを示し、符号８はリヤウィンドウガラスを示す。
【００１９】
上記ルーフライニング３は、図３及び図４に示すように、平面略矩形状の本体１０と、この本体１０の車両前後方向Ｐの後方側部の端末部１０ａに設けられた左右の仮保持片１１と、を備えている。この本体１０の車両前方側には、サンバイザ（図示省略）を取り付けるための取付孔１２が形成されている。また、本体１０の側端部には、アシストグリップ（図示省略）を取り付けるための取付孔１３が形成されている。
【００２０】
上記仮保持片１１は、図５及び図６に示すように、車両幅方向Ｑの外側に向かって突出している。この仮保持片１１は、仮保持壁１５、第１立壁１６及び第２立壁１７を備えており、ルーフライニング３の一般面（すなわち、本体１０）に比べて剛性が高められている。この仮保持壁１５は、車両後方の縁側が本体１０の端末部１０ａから下方に離れるように延びている。また、仮保持壁１５は、本体１０の端末部１０ａから本体１０の車両後方の外側に向かって斜め下方に延びている。さらに、仮保持壁１５は、スペーサ４の後述する仮保持台の受け面に載置される載置面１５ａ（図７及び図９参照）を有している。
【００２１】
上記第１立壁１６は、仮保持壁１５の車両幅方向Ｑの内縁側から立ち上がっている。この第１立壁１６の上縁側は、本体１０の端末部１０ａに接続されている。また、第１立壁１６は、平面略三角形状に形成されている。また、第２立壁１７は、仮保持壁１５の車両後方の縁側から立ち上がっている。この第２立壁１７の車両幅方向Ｑの内縁側は、第１立壁１６の車両後方の縁側に接続されている。また、第２立壁１７の車両幅方向Ｑの内縁側の上端は、本体１０の端末部１０ａの近傍に位置しており、本体１０の端末部１０ａに接続されていない。さらに、第２立壁１７は、平面略三角形状に形成されている。
【００２２】
上記スペーサ４は、図８に示すように、車両前後方向Ｐに延びる長尺状の本体２０と、この本体２０から立ち上がる複数の縦リブ２１ａ及び横リブ２１ｂと、を備えている。このスペーサ４には、ルーフパネル２に係止する複数の係止爪２２が形成されている。なお、上記スペーサ４は、ルーフライニング３のブカツキを防止する隙間詰め機能と、車両衝突時等に頭部の衝撃を吸収する緩衝機能と、を備えている。
【００２３】
上記スペーサ４の車両後方端側には、図２に示すように、車両幅方向Ｑの内側に突出する左右の仮保持台２５が設けられている。この仮保持台２５の受け面２５ａ上には、図９に示すように、仮保持壁１５の載置面１５ａが載置される。この受け面２５ａは、図７に示すように、車両前後方向Ｐ（すなわち、水平方向）に対して所定角度α（例えば、約２０度）で傾斜している。よって、仮保持台２５の受け面２５ａ上に載置された仮保持壁１５は、車両前後方向Ｐに対して傾斜することとなる。
【００２４】
上記仮保持台２５の下側には、図１及び図２に示すように、車両幅方向Ｑの外側に向かって斜め下方に延びる複数のリブ２７ａからなるガイド部２７が設けられている。このガイド部２７には、図９に示すように、仮保持片１１を仮保持台２５の下方から押し上げて受け面２５ａ上に載置するときに仮保持壁１５が当接するようになっている。
【００２５】
（２）ルーフライニングの仮保持構造の作用
次に、上記構成のルーフライニングの仮保持構造１の作用について説明する。図９に示すように、ルーフパネル２にスペーサ４を取り付けた状態より、車室内側でルーフライニング３を持ち上げて仮保持壁１５を仮保持台２５の下方から当接させる。すると、仮保持壁１５がガイド部２７に当接して案内されることで仮保持片１１が下方へ弾性変形される。その後、弾性復元力により復元した仮保持片１１が仮保持台２５の受け面２５ａ上に載置され、ルーフライニング３の車両後方側が仮保持される。この仮保持状態で、ルーフパネル２に対してルーフライニング３の車両前方側をクリップ等で固定し、その後、仮保持を解除してルーフパネル２に対してルーフライニング３の車両後方側をクリップ等で固定する。その結果、ループパネル２の車室内側にルーフライニング３が取り付けられることとなる（図１参照）。
【００２６】
（３）実施例の効果
以上より、本実施例のルーフライニングの仮保持構造１によると、ルーフライニング３をルーフパネル２の車室内側に取り付けるときに、仮保持片１１を仮保持台２５の下方から押し上げて仮保持台２５の受け面２５ａ上に載置することでルーフライニング３が仮保持される。そして、上記仮保持片１１は、車両前後方向Ｐの縁側が本体１０の端末部１０ａから下方に離れるように延びて仮保持台２５の受け面２５ａ上に載置される仮保持壁１５と、仮保持壁１５の車両幅方向Ｑの内縁側から立ち上がり上縁側が本体１０の端末部１０ａに接続される第１立壁１６と、仮保持壁１５の車両前後方向Ｐの縁側から立ち上がり車両幅方向Ｑの内縁側が第１立壁１６の車両前後方向Ｐの縁側に接続される第２立壁１７と、を備えている。このように、仮保持片１１を、仮保持壁１５、第１立壁１６及び第２立壁１７を備えて特定の立体形状に形成したので、ルーフライニング３の本体１０に対して仮保持片１１を上方へ変形し難く且つ下方へ変形し易く構成できる。よって、仮保持片１１を仮保持台２５の受け面２５ａ上に載置したときに、ルーフライニング３の自重により仮保持片１１が下方に折れてルーフライニング３が脱落してしまうことが防止される。また、仮保持片１１を仮保持台２５の下方から押し上げるときに、仮保持片１１は仮保持台２５との当接により下方へ容易に弾性変形される。その結果、ルーフライニング３を確実且つ円滑に仮保持することができる。
【００２７】
また、本実施例では、仮保持壁１５は、本体１０の端末部１０ａから本体１０の車両前後方向Ｐの外側に向かって斜め下方に延びており、仮保持台２５の受け面２５ａは、車両前後方向Ｐに対して傾斜している。これにより、仮保持台２５の受け面２５ａ上に載置された仮保持壁１５５は、車両前後方向Ｐに対して傾斜しており、仮保持片１１は仮保持台２５から車両前後方向Ｐに抜け難くなる。よって、ルーフライニング３を更に確実に仮保持することができる。
【００２８】
また、本実施例では、第２立壁１７の車両幅方向Ｑの内縁側の上端は、本体１０の端末部１０ａの近傍に位置しているので、仮保持片１１を上方へ更に変形し難く且つ下方へ変形し更に易く構成できる。
【００２９】
さらに、本実施例では、仮保持台２５の下側には、車両幅方向Ｑの外側に向かって斜め下方に延び且つ下方から仮保持壁１５が当接するガイド部２７が設けられている。これにより、仮保持片１１を仮保持台２５の下方から押し上げるときに、仮保持壁１５がガイド部２７に当接して案内されることで仮保持片１１が更に容易に下方へ弾性変形される。
【００３０】
尚、本発明においては、上記実施例に限られず、目的、用途に応じて本発明の範囲内で種々変更した実施例とすることができる。すなわち、上記実施例において、仮保持片１１及び仮保持台２５の設置位置や個数等は適宜選択することができる。例えば、ルーフライニング３の車両後方側部の端末部１０ａに替えて又は加えて、ルーフライニング３の車両前方側部の端末部に仮保持片１１を設けるようにしてもよい。
【００３１】
また、上記実施例では、車両前後方向Ｐに対して傾斜して延びる仮保持壁１５及び仮保持台２５の受け面２５ａを備えるルーフライニングの仮保持構造１を例示したが、これに限定されず、例えば、図１０に示すように、車両前後方向Ｐに沿って延びる仮保持壁１５’及び仮保持台２５’の受け面２５’を備えるルーフライニングの仮保持構造１’としてもよい。
【００３２】
また、上記実施例では、仮保持壁１５から２つの第１及び第２立壁１６、１７を立ち上げてなる仮保持片１１を例示したが、これに限定されず、例えば、仮保持壁１５から３以上の立壁を立ち上げてなる仮保持片としてもよい。
【００３３】
また、上記実施例では、仮保持壁１５の車両前方の端部を本体１０の端末部１０ａに接続し且つ車両後方の端部を自由端側としたが、これに限定されず、例えば、仮保持壁１５の車両後方の端部を本体１０の端末部１０ａに接続し且つ車両前方の端部を自由端側としてもよい。
【００３４】
また、上記実施例では、第２立壁１７の車両幅方向Ｑの内縁側の上端を、本体１０の端末部１０ａの近傍に位置させ且つ本体１０の端末部１０ａに接続されないようにしたが、これに限定されず、例えば、第２立壁１７の車両幅方向Ｑの内縁側の上端を本体１０の端末部１０ａに接続させるようにしてもよい。この場合であっても、仮保持片１１を上方へ更に変形し難く且つ下方へ変形し更に易く構成できる。
【００３５】
また、上記実施例におけるルーフライング３の取付け作業は、作業者が手作業で行ってもよいし、ロボットアーム等を用いて自動又は半自動でおこなってもよい。
【００３６】
さらに、上記実施例では、スペーサ４の一部を仮保持台２５として構成するようにしたが、これに限定されず、例えば、ルーフパネル２に専用の仮保持台を取り付けたり、ルーフパネル２の一部で仮保持台を構成したりしてもよい。
【００３７】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３８】
本発明は上記で詳述した実施形態に限定されず、本発明の請求項に示した範囲で様々な変形または変更が可能である。
【産業上の利用可能性】
【００３９】
乗用車、バス、トラック等の他、列車、汽車等の鉄道車両、建設車両、農業車両、産業車両などのルーフライニングを仮保持する技術として広く利用される。
【符号の説明】
【００４０】
１，１’；ルーフライニングの仮保持構造、２；ルーフパネル、３；ルーフライニング、１０；本体、１０ａ；端末部、１１；仮保持片、１５，１５’；仮保持壁、１６；第１立壁、１７；第２立壁、２５，２５’；仮保持台、２５ａ，２５ａ’；受け面、Ｐ；車両前後方向、Ｑ；車両幅方向。
【図１】
2014151840.tif 000003
【図２】
2014151840.tif 000004
【図３】
2014151840.tif 000005
【図４】
2014151840.tif 000006
【図５】
2014151840.tif 000007
【図６】
2014151840.tif 000008
【図７】
2014151840.tif 000009
【図８】
2014151840.tif 000010
【図９】
2014151840.tif 000011
【図１０】
2014151840.tif 000012
【図１１】
2014151840.tif 000013